(57)【特許請求の範囲】
【請求項１】
上下方向に拡張、収縮自在な空気袋を備え、空気袋の拡張、収縮で空気袋の上側に配置される頭載せ部の高さを可変する枕において、
空気袋を拡張方向に付勢する付勢手段と、
空気袋への空気の流入を許容し、空気袋からの空気の排出を阻止する逆止弁と、
頭載せ部に人の頭部を載せたときに人の頸部が当接する頭載せ部の前側部分を頸支持部として、頸支持部の沈下量が所定値以上になったときに逆止弁を強制的に開弁させる開弁機構とを備えることを特徴とする枕。
【請求項２】
前記付勢手段は、前記空気袋の拡張状態で発生する付勢力に比し、空気袋の収縮状態で発生する付勢力の方が小さくなるように構成されていることを特徴とする請求項１記載の枕。
【請求項３】
前記付勢手段は、前記空気袋内の横方向両側部に配置した、一対のアーム部材を中間部で水平の軸を介して互いに回動自在に連結して成る一対のＸ型リンクと、両Ｘ型リンクの前上がりに傾斜するアーム部材の前端部同士を連結する前側の連結部材と、両Ｘ型リンクの後上がりに傾斜するアーム部材の後端部同士を連結する後側の連結部材と、これら両連結部材の間に横方向の間隔を存して張設した複数の引張りばねとを備えることを特徴とする請求項１記載の枕。
【請求項４】
前記前側の連結部材は、前記頭載せ部に人の頭部を仰向きで載せたときに前記頸支持部に作用する荷重で下方に撓むように、上下方向の曲げ剛性が低い部材で形成されていることを特徴とする請求項３記載の枕。
【請求項５】
前記開弁機構は、前記頸支持部の沈下により前記前側の連結部材を介して押下げられる検出部材と、検出部材の押下げに連動して前記逆止弁を開弁させる弁駆動部材とを備えることを特徴とする請求項３または４記載の枕。
【請求項６】
前記空気袋を収納する空洞部が形成された枕芯体を備え、枕芯体の空洞部上に位置する部分で前記頭載せ部が形成され、枕芯体は、軟質樹脂製成形体または羽毛、天然繊維、合成繊維、無機質粒子、有機質粒子、流体からなる群から選択された少なくとも１種の材料を内蔵する袋状体で構成されることを特徴とする請求項１〜５に記載の枕。
【請求項７】
前記頭載せ部に人の頭部を仰向きで載せた状態で空気袋の収縮により頭載せ部が陥没したときに、頭載せ部の表面と人の耳との間に間隙が確保されるように前記空洞部の大きさが設定されていることを特徴とする請求項６記載の枕。
【発明の詳細な説明】
【技術分野】
【０００１】
本発明は、寝ている人の姿勢に応じて高さを自動的に可変できるようにした枕に関する。
【背景技術】
【０００２】
睡眠中に人はよく寝返りし、姿勢が仰向きや横向きに変化する。枕の高さは、人の頸部が不自然に曲がらないようにする上で、仰向き姿勢時には低目であることが望ましく、横向き姿勢の場合は高目であることが望ましい。そこで、従来、上下方向に拡張、収縮自在な空気袋を備え、寝ている人の姿勢に応じて空気袋を拡張(横向き姿勢時)、収縮(仰向き姿勢時)させ、空気袋の上側に配置される頭載せ部の高さを可変する枕が知られている。
【０００３】
このような空気袋式の枕の代表的なものとしては、空気袋に連通するゴム製の蓄圧袋を備え、頭載せ部に作用する荷重が増加したときに、空気袋内の空気が蓄圧袋に押し出されて空気袋が収縮され、頭載せ部に作用する荷重が減少したときに、蓄圧袋から空気袋に空気が押し込まれて空気袋が拡張されるようにしたものがある(例えば、特許文献１参照)。頭載せ部に作用する荷重が仰向き姿勢では横向き姿勢より大きくなるのであれば、仰向き姿勢の時には空気袋の収縮で頭載せ部の高さが低くなり、横向き姿勢の時には空気袋の拡張で頭載せ部の高さが高くなる。確かに、頭載せ部の高さが高い状態で仰向き姿勢になると、人の頸部が曲がり、頸部の筋肉が緊張してその筋反力により頭載せ部に作用する荷重が増加するが、荷重が増加するのは一時的であって、頭載せ部の高さが若干低くなったところで荷重は元通りになり、頭載せ部を仰向き姿勢に適した十分に低い位置まで下降させることはできない。
【０００４】
また、かかる不具合を解消したものとして、空気袋に連通する蓄圧袋と、寝ている人の上半身の下に敷設されるエアマットと、エアマットの内圧が減少したときに蓄圧袋を圧縮し、エアマットの内圧が増加したときに蓄圧袋を拡張させる機構とを設けた装置もある(例えば、特許文献２参照)。寝ている人が仰向き姿勢になると、エアマットが広範囲に亘って押し潰されて内圧が高くなり、その結果、蓄圧袋が拡張されて空気袋内の空気が蓄圧袋に流れ、空気袋が収縮して頭載せ部の高さが低くなる。然し、このものでは、エアマットと、蓄圧袋を圧縮、拡張する機構とが必要で大掛かりな装置になり、コストが高くなる。
【特許文献１】特開２００４−２４９０８８号公報
【特許文献２】特開２００１−１９０３８３号公報
【発明の開示】
【発明が解決しようとする課題】
【０００５】
本発明は、以上の点に鑑み、大掛かりな装置を用いずに頭載せ部の高さを横向き姿勢時には高く、仰向き姿勢時には十分に低くできるようにした低コストの枕を提供することをその課題としている。
【課題を解決するための手段】
【０００６】
上記課題を解決するために、本発明は、上下方向に拡張、収縮自在な空気袋を備え、空気袋の拡張、収縮で空気袋の上側に配置される頭載せ部の高さを可変する枕において、空気袋を拡張方向に付勢する付勢手段と、空気袋への空気の流入を許容し、空気袋からの空気の排出を阻止する逆止弁と、頭載せ部に人の頭部を載せたときに人の頸部が当接する頭載せ部の前側部分を頸支持部として、頸支持部の沈下量が所定値以上になったときに逆止弁を強制的に開弁させる開弁機構とを備えることを特徴とする。
【０００７】
本発明によれば、頭載せ部の高さが高い状態で人が仰向き姿勢になると、頸部の曲げによる筋反力を受けて頸支持部が沈下し、開弁機構により逆止弁が強制的に開弁される。すると、空気袋内の空気が抜け、頭部の荷重で空気袋が収縮して頭載せ部が下降する。また、人が横向き姿勢になると、頸部の位置が高くなって頭載せ部に作用する荷重が減少し、付勢手段の付勢力により空気袋が空気を吸い込みつつ拡張して頭載せ部が上昇する。そして、空気袋に吸い込まれた空気は逆止弁の働きで空気袋に封じ込められ、頭載せ部は空気圧により高い位置にしっかりと支持される。従って、付勢手段による付勢力は左程大きくする必要がない。ここで、付勢手段による付勢力が大きいと、仰向き姿勢時に逆止弁が開弁されても、頭載せ部が左程下降しないうちに付勢手段による付勢力と頭載せ部に作用する頭部の荷重とがバランスして、頭載せ部がそれ以上下降しなくなってしまう。然し、本発明では、上記の如く付勢手段による付勢力を左程大きくする必要がないため、仰向き姿勢時に頭載せ部を仰向け姿勢に適した十分に低い位置まで下降させることが可能になる。
【０００８】
このように、本発明は、仰向き姿勢と横向き姿勢とで床からの頸部の高さが変化し、仰向き姿勢では頸支持部が頸部に押されて沈下することを利用して逆止弁を開弁させ、頭載せ部を下降させるものであり、エアマット等の大掛かりな装置を必要とせず、コストも安くなる。
【０００９】
尚、付勢手段は、空気袋の拡張状態で発生する付勢力に比し、空気袋の収縮状態で発生する付勢力の方が小さくなるように構成されていることが望ましい。これによれば、仰向き姿勢時に頭載せ部の下降が途中で停止されることを確実に防止できる。このような付勢手段は、例えば、一対のアーム部材を中間部で水平の軸(アーム軸)を介して互いに回動自在に連結して成るＸ型リンクと、両アーム部材の端部同士を互いに接近する略水平方向に付勢するばね部材とで構成できる。アーム部材には、ばね部材のばね力によるモーメントが作用し、このモーメントにより空気袋を拡張方向に付勢する付勢力が発生する。ここで、アーム部材に作用するモーメントは、ばね力の作用線とアーム軸との間の距離とばね力との積に等しい。空気袋が収縮すると、即ち、頭載せ部が下降すると、アーム部材とばね力の作用線との成す角度が減少し、この減少に伴い一対のアーム部材の端部間の距離が増加してばね力が増加する。然し、アーム部材とばね力の作用線との成す角度が比較的小さい角度範囲に収まっていれば、角度減少によるばね力の増加率は、ばね力の作用線とアーム軸との間の距離の減少率に比し小さくなる。その結果、モーメントは頭載せ部の下降に伴って減少し、空気袋の拡張状態で発生する付勢力に比し、空気袋の収縮状態で発生する付勢力の方が小さくなる。
【００１０】
また、付勢手段は、空気袋内の横方向両側部に配置した、一対のアーム部材を中間部で水平の軸を介して互いに回動自在に連結して成る一対のＸ型リンクと、両Ｘ型リンクの前上がりに傾斜するアーム部材の前端部同士を連結する前側の連結部材と、両Ｘ型リンクの後上がりに傾斜するアーム部材の後端部同士を連結する後側の連結部材と、これら両連結部材の間に横方向の間隔を存して張設した複数の引張りばねとを備えるものであることが望ましい。
【００１１】
これによれば、上記の如く空気袋の拡張状態で発生する付勢力に比し、空気袋の収縮状態で発生する付勢力の方が小さくなって、仰向き姿勢時に頭載せ部の下降が途中で停止されることを確実に防止できる。更に、仰向き姿勢時に頭載せ部が下降したとき、引張りばね上に頭載せ部を介して後頭部が載ることになり、付勢手段による付勢力が後頭部で受けられ、頸部に付勢力が殆ど作用しなくなり、頸部の圧迫が防止される。
【００１２】
この場合、前側の連結部材は、頭載せ部に人の頭部を仰向きで載せたときに頸支持部に作用する荷重で下方に撓むように、上下方向の曲げ剛性が低い部材で形成されていることが望ましい。このように前側の連結部材が下方に撓むと、仰向き姿勢になったときに頸支持部が軽い力で沈下するようになり、逆止弁が応答性良く開弁されて、頭載せ部が速やかに下降する。
【００１３】
また、開弁機構は、頸支持部の沈下により前側の連結部材を介して押下げられる検出部材と、検出部材の押下げに連動して前記逆止弁を開弁させる弁駆動部材とを備えるものであることが望ましい。これによれば、頸支持部の沈下を検出部材により確実に検出し、弁駆動部材を介して逆止弁を確実に開弁できる。尚、弁駆動部材は、検出部材に対し機械的に連動するものであっても、電気的に連動するものであっても良い。
【００１４】
ところで、空気袋が枕の外面に露出していると、空気袋が物に当って傷付く可能性がある。そのため、空気袋を収納する空洞部が形成された枕芯体を備え、枕芯体の空洞部上に位置する部分で頭載せ部が形成されていることが望ましい。この場合、枕芯体は、軟質樹脂製成形体から成るものであっても、また、羽毛、天然繊維、合成繊維、無機質粒子、有機質粒子、流体からなる群から選択された少なくとも１種の材料を内蔵する袋状体から成るものであっても良い。
【００１５】
また、頭載せ部に人の頭部を仰向きで載せた状態で空気袋の収縮により頭載せ部が陥没したときに、頭載せ部の表面と人の耳との間に間隙が確保されるように前記空洞部の大きさが設定されていることが望ましい。これによれば、頭載せ部が陥没しても、頭載せ部の表面が耳に接触せず、人に不快感を与えることを防止できる。
【発明を実施するための最良の形態】
【００１６】
以下、図面を参照して本発明の実施形態の枕について説明する。図１〜図４を参照して、本実施形態の枕は、硬質のスポンジで形成された底部材１と、底部材１上に配置した枕芯体２と、これら底部材１と枕芯体２とを被包する外皮布３とを備える。
【００１７】
枕芯体２は、横長の略直方体形状に形成された低反発ウレタンフォーム製の成形体で構成されている。枕芯体２の上面部分には、前側の高い稜部４と後側の低い稜部５とが形成され、両稜部４，５間が鞍部６になっている。また、枕芯体２の内部には空洞部７が形成されており、この空洞部７に空気袋８が収納されている。そして、枕芯体２の空洞部７上に位置する部分で形成される頭載せ部２ａの高い稜部４に人の頸部を載せ、鞍部６に人の頭部を載せるようにして枕を使用する。頭載せ部２ａの前側の高い稜部４を含む部分が頸支持部２ｂとなる。
【００１８】
空気袋８は、可撓性を有し、上下方向に拡張、収縮自在であり、付勢手段９により拡張方向に付勢されている。付勢手段９の構成要素として、空気袋８内の横方向両側部に一対のＸ型リンク１０，１０が配置されている。各Ｘ型リンク１０は、一対のアーム部材１０ａ、１０ｂを両者の中間部で横向きの水平の軸１０ｃにより互いに回動自在に連結して成るものである。また、両Ｘ型リンク１０，１０の前上がりに傾斜するアーム部材１０ａ，１０ａの前端部同士を連結する前側の連結部材１０ｄと、両Ｘ型リンク１０，１０の後上がりに傾斜するアーム部材１０ｂ，１０ｂの後端部同士を連結する後側の連結部材１０ｅと、前上がりに傾斜するアーム部材１０ａ，１０ａの後端部同士を連結する下方の連結部材１０ｆとが設けられている。前側と後側の両連結部材１０ｄ，１０ｅ間には、横方向の間隔を存して複数の引張りばね１１が張設されている。また、各Ｘ型リンク１０の直下部に位置させて、アーム部材１０ａの後端部とアーム部材１０ｂの前端部との間に張設される下側の引張りばね１２が設けられている。尚、下方の連結部材１０ｆは省略しても良い。
【００１９】
これら引張りばね１１，１２のばね力により各アーム部材１０ａ，１０ｂに軸１０ｃ回りのモーメントが作用し、このモーメントにより空気袋８を拡張する方向の付勢力が発生する。空気袋８の最拡張状態において、各アーム部材１０ａ，１０ｂと各引張りばね１１，１２のばね力の作用線との成す角度は２０度程度になるように設定されている。空気袋８が収縮して頭載せ部２ａが下降すると、各アーム部材１０ａ，１０ｂと各引張りばね１１，１２のばね力の作用線との成す角度が減少し、この減少に伴い引張りばね１１，１２が伸ばされてばね力が増加するが、２０度以下の角度範囲では角度減少によるばね力の増加は僅かになる。一方、各引張りばね１１，１２のばね力の作用線と軸１０ｃとの間の距離は頭載せ部２ａの下降量に比例して減少する。そのため、各アーム部材１０ａ，１０ｂに作用するモーメント(＝ばね力×ばね力の作用線と軸１０ｃとの間の距離)は頭載せ部２ａの下降に伴って減少し、空気袋８を拡張する方向の付勢力は空気袋８の拡張状態よりも空気袋８の収縮状態の方が小さくなる。
【００２０】
尚、空気袋８の収縮状態では、前側と後側の連結部材１０ｄ，１０ｅ間に張設する引張りばね１１のばね力の作用線と軸１０ｃとの間の距離がほぼ零になり、空気袋８の拡張方向への付勢力は殆ど発生しない。ここで、寝ている人が仰向き姿勢から横向き姿勢になったときに、後述する如く空気袋８を拡張させるには、空気袋８の収縮状態において僅かではあっても拡張方向への付勢力が発生されている必要がある。そこで、本実施形態では、前側と後側の連結部材１０ｄ，１０ｅ間に、両Ｘ型リンク１０，１０の間に位置する引張りばね１１に加えて、各Ｘ型リンク１０の直上部に位置する引張りばね１１´を張設している。この引張りばね１１´と各Ｘ型リンク１０の直下部に位置する下側の引張りばね１２とは、空気袋８の収縮状態において各Ｘ型リンク１０のアーム部材１０ａ，１０ｂに干渉して、そのばね力の作用線と軸１０ｃとの間の距離が零になることが阻止される。そのため、これら引張りばね１１´，１２のばね力により、空気袋８の収縮状態においても拡張方向への付勢力が発生される。本実施形態では、図７に示す空気袋８の拡張状態で発生する付勢力が約４ｋｇｆ、図８に示す空気袋８の収縮状態で発生する付勢力が約３５０ｇｆになる。
【００２１】
各アーム部材１０ａ，１０ｂと各連結部材１０ｄ，１０ｅ，１０ｆは板厚方向を上下方向とする帯状の金属板で形成されている。前側の連結部材１０ｄは特に板厚が薄く、上下方向の曲げ剛性が低くなっている。そのため、頭載せ部２ａの前側の頸支持部２ｂに作用する荷重で前側の連結部材１０ｄは容易に下方に撓む。
【００２２】
尚、空洞部７の天井面は、頸支持部２ｂが過度に厚くならないように、前上がりに傾斜している。そこで、空気袋８の拡張状態において、その上面が前上がりに傾斜して空洞部７の天井面に接するように、各Ｘ型リンク１０の軸１０ｃの位置を後側にずらし、前上がりに傾斜するアーム部材１０ａの前端部の高さが後上がりに傾斜するアーム部材１０ｂの後端部よりも高くなるようにしている。
【００２３】
空気袋８の内底面には、空気袋への空気の流入を許容し、空気袋からの空気の排出を阻止する逆止弁１３が配置されている。逆止弁１３は、図５及び図６に明示されているように、弁孔１３１を開設した弁座板１３２と、弁座板１３２に対し上下方向に傾動自在となるようにリベット１３３で緩く止めた板状の弁体１３４とで構成されている。弁体１３４の下面には、弁座板１３２の上面に弁孔１３１を覆うようにして着座するゴム製の吸盤状シール部材１３４ａが取り付けられている。弁体１３４は自重で弁座板１３２の上面に着座し、弁孔１３１を閉塞する。弁座板１３２は、弁孔１３１の周囲において空気袋８の内底面に接着等で固定される。空気袋８の底面には、弁孔１３４が臨む穴が形成されている。かくして、弁体１３４が上方に傾動して弁孔１３１が開放されると、即ち、逆止弁１３が開弁されると、空気袋８内の空気が排出可能になる。
【００２４】
ここで、逆止弁１３は、頸支持部２ｂの沈下量が所定値以上になったときに開弁機構１４により強制的に開弁されるようになっている。本実施形態においては、開弁機構１４の構成要素として、頸支持部２ｂの沈下により上記前側連結部材１０ｄを介して押下げられる検出部材１４１と、検出部材１４１の押下げに連動して逆止弁１３を開弁させる弁駆動部材１４２とを備えている。検出部材１４１は、弁座板１３２の側部に軸支した前後方向に長手の回転軸１４３に一端を固定し、他端を前側連結部材１０ｄの中央部の直下に臨ませたレバーで構成されている。また、弁駆動部材１４２は、弁体１３４の可動端の下面に係合する板片で構成され、回転軸１４３に固定されている。かくして、頸支持部２ｂが沈下すると、前側連結部材１０ｄを介して検出部材１４１が押下げられ、この押下げにより回転軸１４３が回転して弁駆動部材１４２が上方に回動し、この回動で弁体１３４が押し上げられて、逆止弁１３が強制的に開弁される。
【００２５】
尚、弁駆動部材１４２は、前側連結部材１０ｄを介して検出部材１４１が押下げられない限り上方に回動しないように、弁座板１３２に取り付けた板ばねで構成される戻しばね１４４により下方に付勢されている。また、前側連結部材１０ｄに対する検出部材１４１の位置ずれを防止するため、弁座板１３２を、片側のＸ型リンク１０の後上がりに傾斜するアーム部材１０ｂの前端近傍部分に取付軸１３２ａを介して枢着している。
【００２６】
次に、図７乃至図９を参照して、本実施形態の枕と寝ている人の姿勢との関係について説明する。図７に示すように、人が横向き姿勢で頭部Ｈを頭載せ部２ａに載せている場合、空気袋８は拡張状態になり、逆止弁１３の働きで空気袋８に封じ込められる空気の圧力により、頭載せ部２ａは横向き姿勢での頭部Ｈの高さに適合した高い位置にしっかりと支持される。従って、頭部Ｈの重さが個人差で異なっても、空気袋８の拡張状態で付勢手段９が発生する付勢力を左程大きくせずに、頭載せ部２ａを高い位置に保持できる。
【００２７】
上記の如く横向き姿勢から人が寝返りを打って仰向き姿勢になると、図８に仮想線で示すように、頸部Ｎが曲がり、頸支持部２ｂに作用する荷重が大きくなる。そのため、頸支持部２ｂが前側連結部材１０ｄを押下げつつ沈下する。そして、頸支持部２ｂの沈下量が所定値以上になって、前側連結部材１０ｄを介して開弁機構１４の検出部材１４１が押し下げられたとき、弁駆動部材１４２により逆止弁１３が強制的に開弁される。尚、前側連結部材１０ｄは上記の如く上下方向の曲げ剛性が低く、頸支持部２ｂに作用する荷重で容易に下方に撓む。そのため、仰向き姿勢になったとき応答性良く逆止弁１３が開弁される。
【００２８】
逆止弁１３が開弁されると、空気袋８内の空気圧による頭載せ部２ｂの支持が失われ、逆止弁１３を介しての空気の排出で空気袋８を収縮させつつ頭載せ部２ａが下降する。ここで、付勢手段９による付勢力は空気袋８の拡張時より収縮時の方が小さいため、頭載せ部２ａは途中で停止することなく仰向き姿勢に適した低い位置まで下降し、図８に実線で示す状態になる。この状態では、前側連結部材１０ｄと後側連結部材１０ｅとの間に張設した引張りばね１１上に頭載せ部２ａを介して後頭部が載ることになる。そのため、付勢手段９による付勢力が後頭部で受けられ、頸部Ｎに付勢力が殆ど作用しなくなり、頸部Ｎの圧迫が防止される。尚、頭載せ部２ａを仰向き姿勢に適した十分に低い位置まで下降させるには、空気袋８が１０ｍｍ以下の厚さに収縮可能となるようにすることが望ましい。
【００２９】
また、このように頭載せ部２ａが下降すると、枕芯材２の他の部分に対し頭載せ部２ａが図９に示す如く陥没した状態になる。この状態において、頭載せ部２ａの表面と人の耳Ｅとの間に間隙が確保されるように空洞部７の大きさが設定されている。具体的には、空洞部７は、横方向長さが人の両耳Ｅ，Ｅ間の長さの１．５〜２．０倍程度(約３０〜４０ｃｍ)、高さが６〜８ｃｍの大きさに形成されている。このようにすることで、頭載せ部２ａが陥没しても、頭載せ部２ａの表面が耳Ｅに触れることがなく、睡眠を妨げることが防止される。
【００３０】
仰向き姿勢から寝返りをうって横向き姿勢になると、頸部Ｎの位置が肩に支えられて高くなり、頭載せ部２ａに作用する荷重が減少する。そのため、付勢手段９の付勢力により空気袋８が逆止弁１３を介して空気を吸い込みつつ拡張して頭載せ部２ａが上昇し、図７に示す状態に復帰する。
【００３１】
尚、図７の仮想線は頭載せ部２ａの上面の自由状態での位置を示している。頭載せ部２ａは、その素材である低反発ウレタンフォームの特性で頭部Ｈと頸部Ｎの形状に馴染むように変形し、肩、頸に無理な負担が掛からない。ところで、従来より枕に使用されている低反発ウレタンフォームは、頭頸部の体温により軟化して、頭頸部の高さが姿勢変更で変化してもこれに追従して変形する点を基本的な効果としている。然し、このような温度に敏感なウレタンフォームは、冬季には硬くなって高さが高くなり過ぎ、夏季には軟らかくなって高さが低くなり過ぎる欠点がある。ここで、本実施形態の枕は空気袋８の変形で高さが変化するため、ウレタンフォームが体温によって軟化する必要がなく、温度依存性の少ない低反発ウレタンフォームを用いることができる。これにより夏冬何れにおいても一定した使用状態が得られる。
【００３２】
以上、付勢手段９をＸ型リンク１０を用いて構成した実施形態について説明したが、これに限るものではなく、例えば、空気袋８内に収納した上下方向に伸縮自在な弾性部材で付勢手段を構成することも可能である。また、上記実施形態では、開弁機構１４の検出部材１４１に対し弁駆動部材１４２を機械的に連動させているが、検出部材１４１の押下げでオンするリミットスイッチ等のスイッチを設け、弁駆動部材１４２を検出部材１４１に電気的に連動させることも可能である。
【００３３】
また、上記実施形態では、枕芯体２を低反発ウレタンフォーム製の成形体で構成しているが、ラバーフォーム等の他の軟質樹脂製の成形体で枕芯体２を構成しても良い。更に、羽毛、天然繊維、合成繊維、無機質粒子、有機質粒子、流体からなる群から選択された少なくとも１種の材料を内蔵する袋状体で枕芯体２を構成することも可能である。上記天然繊維としては、綿、パンヤ等の植物性繊維、キャメル等の動物性繊維を挙げることができ、上記合成繊維としては合成綿等を挙げることができる。また、上記無機粒子としては、炭、セラミック、天然石等の粒子を挙げることができ、上記有機粒子としては、そば殻等の植物性粒子、プラスチックビーズ、プラスチックパイプ等の合成樹脂製粒子等を挙げることができ、上記流体としては、水、ゼリー、冷却剤等を挙げることができる。
【００３４】
また、上記実施形態では、枕芯体２に形成した空洞部７に空気袋８を収納し、空洞部７上に位置する枕芯体２の部分で頭載せ部２ａを構成しているが、空気袋８の上に頭載せ部２ａとなる部材を取付けて、枕芯体２を省略することも可能である。但し、これでは、空気袋８が保護されず傷付く虞があるため、上記実施形態のように構成することが望ましい。
【図面の簡単な説明】
【００３５】
【図１】本発明の実施形態の枕の斜視図。
【図２】図１のＩＩ−ＩＩ線で切断した断面図。
【図３】図２のＩＩＩ−ＩＩＩ線で切断した断面図。
【図４】図３のＩＶ−ＩＶ線で切断した断面図。
【図５】実施形態の枕に設けられる逆止弁と開弁機構の平面図。
【図６】図５のＶＩ−ＶＩ線で切断した断面図
【図７】実施形態の枕に頭部を横向きで載せた状態の断面図。
【図８】実施形態の枕に頭部を仰向きで載せた状態の断面図。
【図９】図８のＩＸ−ＩＸ線で切断した断面図。
【符号の説明】
【００３６】
２…枕芯体、２ａ…頭載せ部、２ｂ…頸支持部、７…空洞部、８…空気袋、９…付勢手段、１０…Ｘ型リンク、１０ａ，１０ｂ…アーム部材、１０ｃ…軸、１０ｄ…前側連結部材、１０ｅ…後側連結部材、１１…引張りばね、１３…逆止弁、１４…開弁機構、１４１…検出部材、１４２…弁駆動部材。
【要約】
【課題】大掛かりな装置を用いずに頭載せ部の高さを横向き姿勢時には高く、仰向き姿勢時には十分に低くできるようにした低コストの枕を提供する
【解決手段】枕に内蔵される空気袋８と、空気袋８を拡張方向に付勢する付勢手段９と、空気袋８への空気の流入を許容し、空気袋８からの空気の排出を阻止する逆止弁１３とを備える。付勢手段９の構成要素として、空気袋８内の横方向両側部に配置したＸ型リンク１０と、両型Ｘリンクを連結する前後の連結部材１０ｄ，１０ｅ間に張設した複数の引張りばね１１とを備える。空気袋８上に配置する頭載せ部２ａに頭部を仰向きで載せることで、頭載せ部の前側の頸支持部２ｂが沈下したときに、前側連結部材１０ｄを介して検出部材１４１が押下げられ、検出部材１４１に連動する弁駆動部材により逆止弁１３が強制的に開弁されるようにする。
【選択図】図２
【図１】
0003699472.tif 000002
【図２】
0003699472.tif 000003
【図３】
0003699472.tif 000004
【図４】
0003699472.tif 000005
【図５】
0003699472.tif 000006
【図６】
0003699472.tif 000007
【図７】
0003699472.tif 000008
【図８】
0003699472.tif 000009
【図９】
0003699472.tif 000010